(57)【要約】【課題】光エネルギーに対する利用率を向上させたバックライトモジュール及び液晶ディスプレーを提供する。【解決手段】バックライトと、導光板と、バックライトと導光板との間に設置される偏光光束分割プリズムおよび光変換器とを備えるバックライトモジュールであって、偏光光束分割プリズムは、バックライトからの光を振動方向に垂直する第１偏光と第２偏光とに分割し、光変換器は前記第２偏光の振動方向を第１偏光の振動方向に変換するとともに、第１偏光または変換された第２偏光を導光板に反射する。さらに、液晶ディスプレーが提供された。【選択図】図１
2012083759.tif 000002
【特許請求の範囲】
【請求項１】
バックライトと、
導光板と、
前記バックライトと前記導光板との間に設置される偏光光束分割プリズムおよび光変換器とを備えるバックライトモジュールにおいて、
前記偏光光束分割プリズムは、前記バックライトからの光を振動方向に垂直する第１偏光と第２偏光とに分割し、
前記光変換器は前記第２偏光の振動方向を第１偏光の振動方向に変換し、前記第１偏光または変換された第２偏光を前記導光板に反射することを特徴とするバックライトモジュール。
【請求項２】
前記第１偏光は透過光であり、前記第２偏光は反射光であるとき、前記光変換器は、互いに貼りあわせている液晶光バルブと反射プリズムを備え、
前記液晶光バルブは、前記第２偏光の振動方向を前記第１偏光の振動方向と同じ方向に変換し、
前記反射プリズムは、前記第１偏光を前記導光板に導入することを特徴とする請求項１に記載のバックライトモジュール。
【請求項３】
前記第１偏光は反射光であり、前記第２偏光は透過光であるとき、前記光変換器は、互いに貼りあわせている液晶光バルブと反射プリズムを備え、
前記液晶光バルブは、前記第２偏光の振動方向を前記第１偏光の振動方向と同じ方向に変換し、
前記反射プリズムは、変換された前記第２偏光を前記導光板に反射することを特徴とする請求項１に記載のバックライトモジュール。
【請求項４】
前記液晶光バルブの１つの側面は、前記偏光光束分割プリズムの透過面に貼りあわせ、前記液晶光バルブの他の側面は、前記導光板の入射面に貼り合わせ、前記反射プリズムの非反射面は、前記偏光光束分割プリズムの反射面に貼りあわせることを特徴とする請求項２に記載のバックライトモジュール。
【請求項５】
前記偏光光束分割プリズムの透過面は、前記導光板の入射面に貼り合わせ、前記液晶光バルブの１つの側面は、前記偏光光束分割プリズムの反射面に貼り合わせ、前記液晶光バルブの他の側面は、前記反射プリズムの非反射面に貼りあわせることを特徴とする請求項３に記載のバックライトモジュール。
【請求項６】
前記液晶光バルブは、ガラス基板、液晶分子配向層、液晶層およびエポキシ接着剤からなり、２つの前記ガラス基板が対向して設置され、前記液晶分子配向層がそれぞれ２つの前記ガラス基板上に配置され、前記エポキシ接着剤および前記液晶層が２層の前記液晶分子配向層の間に挟まれるように配置され、前記エポキシ接着剤が前記液晶層の両端に設けられることを特徴とする請求項２または３に記載のバックライトモジュール。
【請求項７】
前記液晶光バルブは、ツイストネマチック型液晶を用い、２つの前記ガラス基板上に設けられた前記液晶分子配向層は配向方向が互いに垂直することを特徴とする請求項６に記載のバックライトモジュール。
【請求項８】
前記バックライトは複数の並列する発光ダイオードからなり、前記偏光光束分割プリズムと前記光変換器は、前記複数の発光ダイオードに一つずつ対応して配置されることを特徴とする請求項１に記載のバックライトモジュール。
【請求項９】
前記バックライトは１つの冷陰極蛍光ランプからなり、前記偏光光束分割プリズムと前記光変換器は、前記冷陰極蛍光ランプに対応して配置されることを特徴とする請求項１に記載のバックライトモジュール。
【請求項１０】
前記バックライトの外側を囲むランプカバーをさらに有することを特徴とする請求項１に記載のバックライトモジュール。
【請求項１１】
前記反射プリズムは、二等辺直角三角形形状であることを特徴とする請求項２または３に記載のバックライトモジュール。
【請求項１２】
前記偏光光束分割プリズムにおいて、前記バックライト、前記液晶光バルブおよび前記反射プリズムに貼り合せる表面以外の表面に、さらに反射膜が設けられることを特徴とする請求項２または３に記載のバックライトモジュール。
【請求項１３】
前記偏光光束分割プリズムと前記光変換器とは互いに貼り合わせて配置されることを特徴とする請求項１に記載のバックライトモジュール。
【請求項１４】
外フレームと、液晶パネルと、バックライトモジュールとを備える液晶ディスプレーにおいて、前記バックライトモジュールは請求項１〜１３のいずれか１項に記載のバックライトモジュールを用い、前記第１偏光の振動方向は前記液晶パネルの下偏光板にマッチすることを特徴とする液晶ディスプレー。
【発明の詳細な説明】
【技術分野】
【０００１】
本発明は、バックライトモジュールおよび液晶ディスプレーに関する。
【背景技術】
【０００２】
液晶ディスプレーは、現在よく使われているフラットパネルディスプレーであり、薄膜トランジスタ液晶ディスプレー（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ，ＴＦＴ−ＬＣＤと略称する）がそのなかの主な製品となる。
【０００３】
通常のバックライトからの光は、自然光に類似し、振動方向が特定されないが、偏光板を透過した後、振動方向が互いに垂直し、かつエネルギーが同じである２束の偏光に分割することができる。液晶で光を変調するため、上記バックライトを用いるとき、液晶セルの外に２つの偏光板を貼り付ける必要がある。一般的には、カラー基板側に貼り付けられる偏光板は、下偏光板と呼ばれ、偏光することにより所定方向の偏光を透過させる。バックライトの光エネルギーに比べて、下偏光板で得られる偏光は、５０％のエネルギーが損失してしまう。一方、アレイ基板側に貼り付けられる偏光板は、上偏光板とよばれ、検光するものである。表示モードにより、上下偏光板の偏光方向は互いに垂直してもよいし、平行してもよい。
【０００４】
液晶ディスプレーが光エネルギーに対する利用率が比較的に低いので、液晶ディスプレーの輝度が不十分になり、メーカを困らせる問題になる。
【０００５】
従来技術において、例えば、光源と液晶パネルとの間に輝度向上フィルム（ｂｒｉｇｈｔｎｅｓｓ  ｅｎｈａｎｃｅｍｅｎｔ  Ｆｉｌｍ、以下「ＢＥＦ」と略称する）を設ける技術や、デュアル輝度向上フィルム（Ｄｕａｌ  ｂｒｉｇｈｔｎｅｓｓ  ｅｎｈａｎｃｅｍｅｎｔ  Ｆｉｌｍ、以下、「ＤＢＥＦ」と略称する）技術など、液晶ディスプレーの輝度問題を解決する方法が知られている。ＢＥＦの表面は同じ構造を有するダイヤモンド構造を複数有し、バックライトシステムの光を反射や屈折してユーザの正面に集中させ、プリズム方向が直交する２つのＢＥＦによって、液晶ディスプレーの視覚輝度を１００％以上向上することができる。ＤＢＥＦは複数層の膜を有し、偏光方向が液晶パネルの下偏光板の格子方向に垂直する光を導光板に反射し、偏光方向が偏光格子方向に平行する光を透過する。反射された光は、導光板内で複数回屈折された後、一部の光の振動方向を偏光板格子方向に平行させ、下偏光板によって再び液晶層に入らせ、液晶ディスプレーの輝度を向上する。
【０００６】
然し、従来技術では、ＢＥＦとＤＢＥＦを製造する技術は要求が高くて、コストも高い。
【発明の概要】
【課題を解決するための手段】
【０００７】
本発明は、バックライトと、導光板と、前記バックライトと前記導光板との間に設置される偏光光束分割プリズムおよび光変換器とを備えるバックライトモジュールにおいて、前記偏光光束分割プリズムは、前記バックライトからの光を振動方向が互いに垂直する第１偏光と第２偏光とに分割し、前記光変換器は前記第２偏光の振動方向を第１偏光の振動方向に変換し、前記第１偏光または変換された第２偏光を前記導光板に反射する。
【０００８】
本発明は、外フレーム、液晶パネル及びバックライトモジュールとを備える液晶ディスプレーであって、前記バックライトモジュールは上記バックライトモジュールであり、前記第１偏光の振動方向は前記液晶パネルの下偏光板にマッチする。
【図面の簡単な説明】
【０００９】
【図１】本発明の第１実施例に係るバックライトモジュールの偏光光束分割プリズムの作動原理を示す模式図である。
【図２】本発明の第２実施例に係るバックライトモジュールの簡略化構造の模式図である。
【図３】本発明の第２実施例に係るバックライトモジュールの液晶光バルブの構造を示す模式図である。
【図４】本発明の第２実施例に係るバックライトモジュールの液晶光バルブの液晶配向を示す模式図である。
【図５】本発明の第２実施例に係るバックライトモジュールの光路を示す模式図である。
【図６】本発明の第３実施例に係るバックライトモジュールの正面模式図である。
【図７】本発明の第３実施例に係るバックライトモジュールの光路を示す模式図である。
【図８】本発明の第４実施例に係るバックライトモジュールの側面模式図である。
【図９】本発明の第５実施例に係るバックライトモジュールの側面模式図である。
【発明を実施するための形態】
【００１０】
本発明実施例の目的、技術内容及び効果をより明確にするために、以下、本発明の実施形態を表す図面を参照しながら、本発明の実施形態の技術内容を明確かつ完全に説明する。勿論、ここで記載された実施形態は、ただ本発明の実施形態の一部だけであり、本発明の全ての実施形態ではない。本発明の実施形態に基づき、当業者が創造的な活動をしない前提で得られる他の実施形態は全て本発明の技術範囲に含まれる。
【００１１】
第１実施例
本実施例はバックライトモジュールを提供する。本実施例に係るバックライトモジュールは、バックライト、導光板、偏光光束分割プリズム（Ｐｏｌａｒｉｚａｔｉｏｎ  Ｃｕｂｅ  Ｂｅａｍｓｐｌｉｔｔｅｒ、以下は「ＰＢＳ」と略称する）および光変換器を備える。偏光光束分割プリズムおよび光変換器はバックライトと導光板の間に配置されている。
【００１２】
図１は本発明の第１実施例に係るバックライトモジュールの偏光光束分割プリズムの作動原理を示す模式図である。図１に示すように、本実施例のＰＢＳは、入射光を振動方向が互いに垂直する２本の直線偏光に分割し、その中の１本がＰＢＳを透過して直線偏光Ｔｐとなり、他の１本がＰＢＳに反射されて直線偏光Ｒｓとなる。ここで、ＰＢＳを透過して形成する直線偏光Ｔｐを透過光とし、ＰＢＳに反射されて形成する直線偏光Ｒｓを反射光とする。それに対応して、本実施例の該ＰＢＳは透過光Ｔｐの出射表面である透過面と、反射光Ｒｓの出射表面である反射面とを有し、透過面と反射面は断面図における両隣接辺に対応する。具体的には、ＰＢＳは様々な方式で実現することができる。本実施例は、図１に示す構造を例にしてＰＢＳを説明する。該ＰＢＳは、断面が四方形であり、入射光を偏光するようにその対角線で示す断面に偏光分割膜がめっきされている。本実施例の偏光光束分割プリズムは、バックライトからの光を第１の偏光と第２偏光に分割するものであり、第１偏光の振動方向は第２偏光の振動方向に垂直し、第１偏光の振動方向は下偏光板にマッチする。ここの「マッチする」とは、具体的に、第１偏光の振動方向は、下偏光板を透過可能な偏光の振動方向に一致する、という意味であり、以下は贅言しない。また、液晶ディスプレーにおいて、必要によって下偏光板の光吸収特性を設定することができ、例えば、ある振動方向の光が下偏光板を透過するときに液晶ディスプレーに入らせ、他の振動方向の光が吸収させるように設定できる。本実施例の第１偏光の振動方向は、下偏光板にマッチするため、下偏光板を透過するときに液晶ディスプレーに入られる。本実施例における光変換器は、第２偏光の振動方向を下偏光板にマッチさせるように変換し、且つ、前記第１偏光または変換された第２偏光を前記導光板に反射する。
【００１３】
本実施例で得られた偏光は、その偏光方向が下偏光板を透過可能な光の振動方向に一致するので、この偏光の全体が下偏光板を透過できる。但し、偏光板に入る前に導光板に入り、直線偏光が導光板中に複数回に屈折と反射されため、少量の直線偏光の偏光方向が変化する。よって、本実施例は、下偏光板が依然として必要である。然し、下偏光板のみが偏光し、５０％だけの直線偏光が透過する状況に対して、本実施例は、光の利用効率を大幅に向上する。
【００１４】
本実施例のバックライトモジュールは、バックライトモジュールに偏光光束分割プリズムと光変換器を設けることで、バックライトからの光を、振動方向が互いに垂直する第１偏光と第２偏光に分割し、光変換器によって第２偏光の振動方向を第１偏光の振動方向と同じように変換し、そして、第２偏光も下偏光板にマッチする偏光に変換することによって、バックライトからの第１偏光と第２偏光をともに液晶ディスプレーに入射することができ、液晶ディスプレーの光エネルギーの利用率を向上し、液晶ディスプレーの輝度を改善し、バックライトの数を低減し、バックライトのワット損を低減する。本実施例のバックライトモジュールは、構造を実現しやすく、加工も簡単であり、コストも低い。
【００１５】
第２実施例
図２は本発明の第２実施例に係るバックライトモジュールの構造の簡略した模式図である。図２に示すように、本実施例は、バックライトモジュールであり、具体的には、エッジライト方式のバックライトモジュールを例として説明する。本実施例のバックライトモジュールは、バックライト１と導光板２とを備え、バックライト１は導光板２の側部に設けられる。本実施例では、バックライトとして、発光ダイオード（Ｌｉｇｈｔ  Ｅｍｉｔｔｉｎｇ  Ｄｉｏｄｅ、以下、「ＬＥＤ」と略称する）を例にして説明する。本実施例のバックライトモジュールは、バックライト１と導光板２との間に設けられ、かつ互いに貼り合せている偏光光束分割プリズム３と光変換器４とを備える。図３は本発明の第２実施例に係るバックライトモジュールの液晶光バルブの構造の模式図である。図３に示すように、本実施例の液晶光バルブは、ガラス基板４１１、液晶分子配向層４１２、液晶層４１４およびエポキシ接着剤４１３からなり、２つのガラス基板４１１が対向して設置され、液晶分子配向層４１２がそれぞれ２つのガラス基板４１１上に配置され、エポキシ接着剤４１３および液晶層４１４が２層の液晶分子配向層の間に配置され、エポキシ接着剤４１３が液晶層４１４の周囲に設けられる。本実施例における液晶光バルブは、ツイストネマチック（Ｔｗｉｓｔｅｄ  Ｎｅｍａｔｉｃ）型液晶を用い、エポキシ接着剤４１３によって２層のガラス基板４１１の間にツイストネマチック型液晶の液晶層４１４を封止し、配向方向が互いに垂直する液晶分子配向層４１２がガラス基板４１１上に設けられる。図４は本発明の第２実施例に係るバックライトモジュールの液晶光バルブの液晶配向模式図である。液晶分子配向層によって液晶を配向し、つまり、液晶光バルブの作成が完了する。これによって、液晶光バルブの直線偏光の偏光方向を９０度回転させる。本発明では、液晶光バルブだけで偏光を旋光するので、電極をガラス基板に形成する必要がない。
【００１６】
図５は本発明の第２実施例に係るバックライトモジュールの光路模式図である。図５に示すように、光変換器は液晶光バルブ４１と反射プリズムを備えてよい。光路をより明確に説明するために、ここで、光変換器における液晶光バルブ４１と反射プリズム４２とを分離して示される。具体的には、本実施例における反射プリズムは、二等辺直角三角形であり、つまり、反射プリズム４２の断面を二等辺直角三角形にする。バックライト１からの光は、まず偏光光束分割プリズム３に至り、偏光光束分割プリズム３で光の振動方向によって光を振動方向が互いに垂直する第１偏光Ｐ１と第２偏光Ｐ２に分割し、本実施例の第１偏光は下偏光板にマッチする偏光である。具体的には、ここの第１偏光Ｐ１は偏光光束分割プリズム３を透過する透過光であり、第２偏光Ｐ２は偏光光束分割プリズム３に反射される反射光である。本実施例では、液晶光バルブ４１によって第２偏光Ｐ２の振動方向を第１偏光の振動方向と同じように変換する。つまり、第２偏光Ｐ２は液晶光バルブ４１を透過した後、振動方向が９０度回転し、下偏光板にマッチする方向に変換される。液晶光バルブ４１が第２偏光Ｐ２を変換した後、第２偏光Ｐ２は、変換された後、直接に導光板に入る。偏光光束分割プリズム３を透過する第１偏光Ｐ１は、反射プリズム４２に至り、反射プリズム４２に反射され、伝播方向が９０度回転し、導光板２に導入される。
【００１７】
さらに、図５を引き続き参照する。本実施形態のバックライトモジュールは、バックライト１の外側を囲むランプカバー１１をさらに有してよい。該ランプカバー１１は、導光板２の一側に開口し、内面が反射材料で形成される。これによって、バックライト１からの光が導光板２に入射し、バックライト１からの光が他の方向に射出することを防止し、光エネルギーの利用率を向上する。
【００１８】
より更に、本実施例では、図５に示すように、偏光光束分割プリズム３において、バックライト１、液晶光バルブ４１および反射プリズム４２に貼り合せる面以外の面に、さらに反射膜が設けられ、つまり、それらの面に高反射率の膜層をめっきする。これによって、バックライト１からの光は、偏光光束分割プリズム３を透過して他の面に反射されることを更に防止し、それを導光板２にできるだけ入射させ、光エネルギーに対する利用率をさらに向上する。
【００１９】
本実施例のバックライトモジュールは、バックライトモジュールに偏光光束分割プリズムと光変換器を設けることで、バックライトからの光を、振動方向が互いに垂直する第１偏光と第２偏光に分割し、光変換器における液晶光バルブによって第２偏光の振動方向を第１偏光の振動方向と同じように変換し、そして、第２偏光も下偏光板にマッチする偏光に変換する。これによって、バックライトからの第１偏光と第２偏光はともに液晶ディスプレーに入射でき、液晶ディスプレーの光エネルギーの利用率を向上し、液晶ディスプレーの輝度を改善し、バックライトの数を低減し、バックライトのワット損を低減する。本実施例のバックライトモジュールは、構造が簡単であり、加工が簡単であり、コストも低い。
【００２０】
実施例３
図６は本発明の第３実施例に係るバックライトモジュールの模式正面図である。図６に示すように、本実施例では、バックライトをＬＥＤにして説明する。バックライト１がＬＥＤである場合に、バックライト１は複数の並列するＬＥＤからなるので、偏光光束分割プリズム３および光変換器も複数があり、複数の偏光光束分割プリズム３が複数の光変換器と複数のＬＥＤに一つずつに対応して配置される。即ち、１つのＬＥＤが１つの偏光光束分割プリズム３と光変換器に対応する。具体的に、本実施例に係るバックライトモジュールの光変換器は、例えば、互いに貼り合せている液晶光バルブ４１と反射プリズム４２とを備える。具体的に、本実施例における第１偏光Ｐ１は反射光であり、第２偏光Ｐ２が透過光である場合に、液晶光バルブ４１は、第２偏光Ｐ２の振動方向を第１偏光Ｐ１の振動方向と同じように変換し、つまり、第２偏光Ｐ２の振動方向を下偏光板にマッチする方向に変換する。本実施形態における反射プリズム４２は、具体的に、変換された第２偏光を導光板２に反射し、偏光光束分割プリズム３によって第１偏光Ｐ１を導光板２に直接に導入する。
【００２１】
具体的に、図６に示すように、本実施例における偏光光束分割プリズム３の透過面は導光板２の入射面に貼りあわせ、液晶光バルブ４１の１つの側面は、偏光光束分割プリズム３の反射面に貼りあわせ、液晶光バルブ４１の他の側面は、反射プリズム４２の非反射面に貼りあわせる。本実施例では、偏光光束分割プリズム３と、液晶光バルブ４と、反射プリズム４２との間は、それらの光学性を影響しない接着剤で接着することができる。
【００２２】
図７は本発明の第３実施例に係るバックライトモジュールの光路模式図である。図７に示すように、光変換器は液晶光バルブ４１と反射プリズムを備えてよい。光路をより明確に説明するように、ここで、光変換器における液晶光バルブ４１と反射プリズム４２とを分離して示される。具体的には、本実施例における反射プリズム４２は、二等辺直角三角形であり、つまり、反射プリズム４２の断面を二等辺直角三角形にする。バックライト１からの光は、まず偏光光束分割プリズム３に至り、偏光光束分割プリズム３が光の振動方向によって光を第１偏光Ｐ１と第２偏光Ｐ２に分割し、第１偏光Ｐ１は偏光光束分割プリズムに反射される反射光であり、第２偏光Ｐ２は偏光光束分割プリズム３を透過する透過光である。本実施例の第１偏光Ｐ１は下偏光板にマッチする偏光である。第１偏光Ｐ１は分割された後、その伝播方向が導光板２の入射面に垂直するので、偏光光束分割プリズム３によって直接に導光板２に導入される。本実施例では、液晶光バルブ４１によって第２偏光Ｐ２の振動方向を第１偏光の振動方向と同じように変換する。つまり、第２偏光Ｐ２は液晶光バルブ４１を透過した後、振動方向が９０度回転し、下偏光板にマッチする方向に変換される。第２偏光Ｐ２は液晶光バルブ４１に変換された後、その伝播方向が導光板２に平行するので、反射プリズム４２でさらに反射され、その伝播方向が９０度回転し、導光板２に導入される。
【００２３】
さらに、図７を引き続き参照する。本実施形態のバックライトモジュールは、バックライト１の外側を囲むランプカバー１１をさらに有してよい。該ランプカバー１１は、導光板２の一側のみに開口する。これによって、バックライト１からの光が導光板２に入射されるので、バックライト１からの光が他の方向に射出することが防止され、光エネルギーの利用率を向上する。
【００２４】
更に、本実施例では、図７に示すように、偏光光束分割プリズム３において、バックライト１、液晶光バルブ４１および反射プリズム４２に貼りあわせる面以外の面に、さらに反射膜が設けられ、つまり、それらの面に高反射率の膜層をめっきする。これによって、バックライト１からの光は偏光光束分割プリズム３を透過して他の面に反射されることを更に防止し、それを導光板２にできるだけ入射させ、光エネルギーに対する利用率をさらに向上する。
【００２５】
実施例４
図８は本発明の第４実施例に係るバックライトモジュールの模式側面図である。図８に示すように、本実施例では、バックライトを冷陰極蛍光ランプ（Ｃｏｌｄ  Ｃａｔｈｏｄｅ  Ｆｌｕｏｒｅｓｃｅｎｔ  Ｌａｍｐ、以下、「ＣＣＦＬ」と略称する）にして説明する。このとき、バックライト１は１つのＣＣＦＬを有する。具体的に、本実施例に係るバックライトモジュールの光変換器は、互いに貼り合せている液晶光バルブ４１と反射プリズム４２とを備える。本実施例における液晶光バルブ４１は、第２偏光の振動方向を第１偏光の振動方向と同じように変換し、つまり、第２偏光の振動方向を下偏光板にマッチする方向に変換し、変換された第２偏光は導光板２に入射される。本実施形態における液晶光バルブ４１は、通電されないとき、入射した偏光の出射時の振動方向を９０度回転させる。本実施形態における反射プリズムは、具体的に、第１偏光を導光板２に反射する。具体的に、図８に示すように、本実施例における偏光光束分割プリズム３の一面は偏光光束分割プリズム３の透過面に貼り合わせ、液晶光バルブ４１の他面は導光板２の入射面に貼り合わせ、反射プリズム４２の非反射面は偏光光束分割プリズム３の反射面に貼り合わせる。本実施例では、偏光光束分割プリズム３と、液晶光バルブ４と、反射プリズム４２との間は、それらの光学性を影響しない接着剤で接着することができる。
【００２６】
実施例５
図９は本発明の第５実施例に係るバックライトモジュールの模式側面図である。図９に示すように、本実施例でも、バックライトをＣＣＦＬにして説明する。具体的に、本実施例に係るバックライトモジュールの光変換器は、互いに貼り合わせている液晶光バルブ４１と反射プリズム４２とを備える。本実施例における液晶光バルブ４１は、第２偏光の振動方向を第１偏光の振動方向と同じように変換し、つまり、第２偏光の振動方向を下偏光板にマッチする方向に変換し、変換された第２偏光は導光板２に入る。本実施例は上記図８に示す実施例との相違点は、本実施例における液晶光バルブ４１の一面は偏光光束分割プリズム３の反射面に貼り合わせ、液晶光バルブ４１の他面は反射プリズム４２の非反射面に貼り合わせ、偏光光束分割プリズム３の透過面は導光板の入射面に貼り合わせる。
【００２７】
本実施例では、バックライトモジュールに偏光光束分割プリズムと光変換器を設けることで、バックライトからの光を、振動方向が異なり、つまり、それぞれ垂直偏光と水平偏光である第１偏光と第２偏光に分割し、光変換器における液晶光バルブによって水平偏光の振動方向を垂直偏光の振動方向と同じように変換し、そして、水平偏光も下偏光板にマッチする偏光に変換される。これによって、バックライトからの水平偏光と垂直偏光をともに液晶ディスプレーに入射することができ、液晶ディスプレーの光エネルギーの利用率を向上し、液晶ディスプレーの輝度を改善し、バックライトの数を低減し、バックライトのワット損を低減する。本実施例のバックライトモジュールは、構造が簡単であり、加工も簡単であり、コストも低い。
【００２８】
本実施例は外フレーム、液晶パネルとバックライトモジュールとを有する液晶ディスプレーを更に提供する。バックライトモジュールは、上記第１乃至５実施例の中のいずれのバックライトモジュールに適用できる。
以上の実施形態は本発明の技術案を説明するものに過ぎず、それを限定するものではない。上述のように実施形態を参照して本発明を詳しく説明したが、上述した各実施形態に記載された技術案を修正する、または一部の技術的特徴を均等的に変更することができる。この修正や変更によって技術案の趣旨が本発明精神と範囲から逸脱するようにならない。
【符号の説明】
【００２９】
１    バックライト      ２  導光板    ３  偏光光束分割プリズム
４    光変換器    ４１  液晶光バルブ    ４２  反射プリズム
１１    ランプカバー    ４１１  ガラス基板    
４１２  液晶分子配向層    ４１３  エポキシ接着剤
４１４  液晶層
【図１】
2012083759.tif 000003
【図２】
2012083759.tif 000004
【図３】
2012083759.tif 000005
【図４】
2012083759.tif 000006
【図５】
2012083759.tif 000007
【図６】
2012083759.tif 000008
【図７】
2012083759.tif 000009
【図８】
2012083759.tif 000010
【図９】
2012083759.tif 000011